(57)【特許請求の範囲】
【請求項１】
各種プランター（Ｐ）・・を複数並設してなるガーデニング用のプランターシステムであって、前記各種プランター（Ｐ）・・は、単一の短筒状の枠材（１）からなるプランター本体（２０）若しくは複数の短筒状の枠材（１）・・を上下方向に着脱可能に積み重ねてなるプランター本体（２０）に対して、前記プランター本体（２０）の上面開口部に着脱可能に取り付けられる化粧枠材（２）、前記プランター本体（２０）の上面開口部に着脱可能に取り付けられる蓋材（３）、前記プランター本体（２０）の上下方向に積み重ねた枠材（１）・・のうち任意の枠材（１）の上面開口部に着脱可能に嵌め込まれる仕切材（４）を選択的に組み合わせてなることを特徴とするガーデニング用のプランターシステム。
【請求項２】
前記各種プランター（Ｐ）・・のプランター本体（２０）を構成する平面視略方形状の枠材（１）の四隅に、その下面開口部よりも下方へ突出する脚部材（６）・・が設けられ、前記枠材（１）・・を上下方向に積み重ねたときに、上側の枠材（１）の脚部材（６）・・が下側の枠材（１）の上面開口部に嵌り込むようにした請求項１記載のガーデニング用のプランターシステム。
【請求項３】
前記枠材（１）、化粧枠材（２）、蓋材（３）及び仕切材（４）は、木製とされている請求項１又は２記載のガーデニング用のプランターシステム。
【請求項４】
少なくとも１つのプランター（Ｐ）は、そのプランター本体（２０）内に砂が充填されて砂場として利用されている請求項１乃至３のいずれかに記載のガーデニング用のプランターシステム。
【請求項５】
少なくとも１つのプランター（Ｐ）は、そのプランター本体（２０）内にガーデニング用品が収納されて収納箱として利用されている請求項１乃至３のいずれかに記載のガーデニング用のプランターシステム。
【発明の詳細な説明】
【技術分野】
【０００１】
この発明は、例えば建物の屋内外においてガーデニングスペースを構築するためのガーデニング用のプランターシステムに関する。
【背景技術】
【０００２】
従来より、建物の屋内外においてガーデニングスペースを構築する場合、レンガや枕木等を使用して枠組みしたり、複数のプランターを使用してこれらを並べるようにしている。なお、プランターの使用に際しては、例えば特許文献１に開示されているように、複数のプランターを単に並べるだけでなく、上下方向にも積み重ねることで、立体感のあるガーデニングスペースを構築することもなされている。
【０００３】
【特許文献１】特開平１０−３１３６９０号公報
【発明の開示】
【発明が解決しようとする課題】
【０００４】
しかしながら、レンガや枕木等を使用して枠組みする場合、施工に手間と時間がかかり、施工後の配置替えや撤去も困難となる。また、建物のバルコニーや屋上への施工に際しての配慮も十分になされていなかった。
【０００５】
一方、複数のプランターを使用する場合には、プランターを並べたり、積み重ねたりするだけで、ガーデニングスペースを簡単に構築することができ、施工後の配置替えや撤去も容易であり、建物のバルコニーや屋上にも好適に施工することができる。しかしながら、従来においては、上面開放箱形の同一形状のプランターを複数用意して、これらプランターを並べたり、積み重ねたりしているだけであって、構築されるガーデニングスペースはバリエーションに乏しいものとなり、使用者の要望や設置場所の状況に応じた柔軟な対応ができないといった不具合があった。また、様々なバリエーション展開を図るべく、形状や機能の異なるプランターを数種類用意した場合には、これらを並べたり、積み重ねたりして組み合わせたときに、ガーデニングスペース全体としての統一感や一体感が損なわれるとともに、設備費も高くなるといった問題があった。
【０００６】
この発明は、上記の不具合を解消して、様々なバリエーションのガーデニングスペースを統一感を持たせながら簡単且つ安価に構築することができ、施工後の配置替えや撤去、メンテナンス等も容易であって、建物のバルコニーや屋上にも好適に施工することができるガーデニング用のプランターシステムを提供することを目的とする。
【課題を解決するための手段】
【０００７】
上記課題を解決するため、この発明のガーデニング用のプランターシステムは、各種プランターＰ・・を複数並設してなり、前記各種プランターＰ・・は、単一の短筒状の枠材１からなるプランター本体２０若しくは複数の短筒状の枠材１・・を上下方向に着脱可能に積み重ねてなるプランター本体２０に対して、前記プランター本体２０の上面開口部に着脱可能に取り付けられる化粧枠材２、前記プランター本体２０の上面開口部に着脱可能に取り付けられる蓋材３、前記プランター本体２０の上下方向に積み重ねた枠材１・・のうち任意の枠材１の上面開口部に着脱可能に嵌め込まれる仕切材４を選択的に組み合わせてなることを特徴とする。
【０００８】
具体的に、前記各種プランターＰ・・のプランター本体２０を構成する平面視略方形状の枠材１の四隅に、その下面開口部よりも下方へ突出する脚部材６・・が設けられ、前記枠材１・・を上下方向に積み重ねたときに、上側の枠材１の脚部材６・・が下側の枠材１の上面開口部に嵌り込むようにしている。また、前記枠材１、化粧枠材２、蓋材３及び仕切材４は、木製とされている。
【０００９】
さらに、少なくとも１つのプランターＰは、そのプランター本体２０内に砂が充填されて砂場として利用されたり、プランター本体２０内にガーデニング用品が収納されて収納箱として利用されている。
【発明の効果】
【００１０】
この発明のガーデニング用のプランターシステムにおいては、枠材、化粧枠材、蓋材、仕切材といった４種類の共通部材を選択的に組み合わせるだけで、統一感のある外観としながらも、高さや内容量、機能等の異なる各種プランターを構成して、これら各種プランターを複数並設することで、ガーデニングスペースを構築するようになっている。
【００１１】
これにより、様々なバリエーションのガーデニングスペースを、全体的に統一感を持たせながら簡単且つ安価に構築することができる。しかも、各種プランターを並設しただけなので、施工後の配置替えや撤去、メンテナンス等も容易であって、建物の外構だけでなくバルコニーや屋上といった屋内外のあらゆる場所において好適に施工することができる。
【００１２】
また、枠材を上下方向に積み重ねるときに、上側の枠材の脚部材が下側の枠材の上面開口部に嵌り込むようにすることで、連結金具のような別途部材を用いることなく、枠材同士の横ずれを防止しながら安定して積み重ねることができる。
【００１３】
さらに、上記の４部材を木製とすることで、癒し効果の高いガーデニングスペースを構築することができ、特に建物のウッドデッキ上に好適に施工することができる。しかも、焼却処分が可能であって、地球環境にも配慮することができる。
【００１４】
また、複数のプランターのうちのいくつかを、砂場や収納箱として利用することで、機能性の向上を図ることができる。
【発明を実施するための最良の形態】
【００１５】
以下、この発明の実施形態を図面に基づいて詳細に説明する。この発明の実施形態に係るガーデニング用のプランターシステムは、建物の外構、バルコニーや屋上等の屋内外においてガーデニングスペースを構築するためのもので、各種プランターＰ・・を複数並設することによって構成されている。
【００１６】
図１は、各種プランターＰ・・を構成する枠材１、化粧枠材２、蓋材３、仕切材４といった４種類の共通部材を示している。
【００１７】
枠材１は、図１（ａ）に示すように、４枚の帯状の垂直板５・・を平面視略方形枠状に組み合わせて、その内側四隅に配置した棒状の脚部材６・・に垂直板５・・の端部を夫々ビス止めすることによって構成されている。この枠材１は、上下面に開口部を有する短角筒状に形成されている。脚部材６・・は、その上端部が上面開口部よりもやや下方に配され、下端部が下面開口部から下方へ突出するようにして配されている。また、脚部材６・・の下端部には、面取り加工が施されている。
【００１８】
化粧枠材２は、図１（ｂ）に示すように、４枚の帯状の水平板７・・をそれらの斜めにカットされた端部同士を接合しながら平面視略方形枠状に組み合わせて、その下面四隅において枠材１の上面開口部に嵌り込む位置決め用突起８・・を夫々突設することによって構成されている。この化粧枠材２の外形寸法は、枠材１の外径寸法とほぼ同じになっている。
【００１９】
蓋材３は、図１（ｃ）に示すように、例えば５枚の帯状の水平板９・・をそれらの長手方向に沿った端部同士を接合しながら平面視略方形面状に組み合わせて、その下面において枠材１の上面開口部に嵌り込む３本の位置決め用板１０・・を水平板９・・に対して直交するように互いに略平行に取り付けることによって構成されている。この蓋材３の外形寸法は、枠材１の外径寸法とほぼ同じになっている。
【００２０】
仕切材４は、図１（ｄ）に示すように、例えば４枚の帯状の水平板１１・・をそれらの長手方向に沿った端部同士を目地隙間を介して対向させるように平面視略方形面状に組み合わせ、その下面において水平板１１・・に対して直交するようにして配置した互いに略平行な一対の棒状の横架部材１２、１２に、水平板１１・・の端部を夫々ビス止めすることによって構成されている。この仕切材４の外形寸法は、枠材１の上面開口部に嵌り込む寸法となっている。
【００２１】
上記の枠材１、化粧枠材２、蓋材３、仕切材４は、いずれも木製であって、特に枠材１の垂直板５・・、化粧枠材２の水平板７・・、蓋材３の水平板９・・、仕切材４の水平板１１・・は、例えば商品名「サーモウッド」や商品名「マクセラム」で知られる腐り難い高耐久性の木材を素材としている。
【００２２】
そして、各種プランターＰ・・は、単一の枠材１からなるプランター本体２０若しくは複数の枠材１・・を上下方向に着脱可能に積み重ねてなるプランター本体２０に対して、化粧枠材２、蓋材３、仕切材４を選択的に組み合わせることによって構成されている。
【００２３】
化粧枠材２の使用に際しては、化粧枠材２をプランター本体２０の上面開口部に着脱可能に取り付けるようにしている。蓋材３の使用に際しては、蓋材３をプランター本体２０の上面開口部に着脱可能に取り付けるようにしている。仕切材４の使用に際しては、仕切材４をプランター本体２０の上下方向に積み重ねた枠材１・・のうち任意の枠材１の上面開口部に着脱可能に嵌め込むようにしている。
【００２４】
図２乃至図１１は、各種プランターＰ・・の一例を示している。図２は、単一の枠材１からなるプランター本体２０に対して、その上面開口部に化粧枠材２を着脱可能に取り付けることによって構成した第１のプランターＰ１を示している。この第１のプランターＰ１において、化粧枠材２の取り付けに際しては、その位置決め用突起８・・をプランター本体２０すなわち枠材１の上面開口部に嵌め込むことで横ずれを防止しながら、その周端部を枠材１の上端面に載せるようにしている。
【００２５】
図３は、単一の枠材１からなるプランター本体２０に対して、その上面開口部に蓋材３を着脱可能に取り付けることによって構成した第２のプランターＰ２を示している。この第２のプランターＰ２において、蓋材３の取り付けに際しては、その位置決め用板１０・・をプランター本体２０すなわち枠材１の上面開口部に嵌め込むことで横ずれを防止しながら、その周端部を枠材１の上端面に載せるようにしている。
【００２６】
図４は、２つの枠材１、１を上下方向に着脱可能に積み重ねてなるプランター本体２０に対して、その上面開口部に化粧枠材２を着脱可能に取り付けることによって構成した第３のプランターＰ３を示している。この第３のプランターＰ３において、２つの枠材１、１の積み重ねに際しては、図５に示すように、上側の枠材１の脚部材６・・の下端部を下側の枠材１の上面開口部に嵌め込むことで枠材１、１同士の横ずれを防止しながら、上側の枠材１の下端面を下側の枠材１の上端面に載せるようにしている。このとき、脚部材６・・の下端部には、面取り加工が施されているので、下側の枠材１の上面開口部に対しての嵌め込みが容易になっている。なお、化粧枠材２の取り付に際しては、第１のプランターＰ１と同様である。
【００２７】
図６は、２つの枠材１、１を上下方向に着脱可能に積み重ねてなるプランター本体２０に対して、その上面開口部に蓋材３を着脱可能に取り付けることによって構成した第４のプランターＰ４を示している。この第４のプランターＰ４において、図７に示すように、蓋材３の取り付けに際しては、第２のプランターＰ２と同様であり、２つの枠材１、１の積み重ねに際しては、第３のプランターＰ３と同様である。
【００２８】
図８は、２つの枠材１、１を上下方向に着脱可能に積み重ねてなるプランター本体２０に対して、その上面開口部に化粧枠材２を着脱可能に取り付け、さらに下側の枠材１の上面開口部に仕切材４を着脱可能に嵌め込むことによって構成した第５のプランターＰ５を示している。この第５のプランターＰ５において、仕切材４の嵌め込みに際しては、図９に示すように、下側の枠材１における脚部材６・・の上端部をカットして、仕切材４の横架部材１２、１２をカットした脚部材６・・の上端面に載せるようにしている。そして、下側の枠材１に上側の枠材１を積み重ねたときには、上側の枠材１の脚部材６・・と仕切材４の上面との間に、これらが互いに干渉しないように僅かな隙間Ｌが確保されている。なお、化粧枠材２の取り付に際しては、第１のプランターＰ１と同様であり、２つの枠材１、１の積み重ねに際しては、第３のプランターＰ３と同様である。
【００２９】
図１０は、２つの枠材１、１を上下方向に着脱可能に積み重ねてなるプランター本体２０に対して、その上面開口部に蓋材３を着脱可能に取り付け、さらに下側の枠材１の上面開口部に仕切材４を着脱可能に嵌め込むことによって構成した第６のプランターＰ６を示している。この第６のプランターＰ６において、図１１に示すように、蓋材３の取り付けに際しては、第２のプランターＰ２と同様であり、２つの枠材１、１の積み重ねに際しては、第３のプランターＰ３と同様であり、仕切材４の嵌め込みに際しては、第５のプランターＰ５と同様である。
【００３０】
上記の図２乃至図１１においては、各種プランターＰ・・の一例を示しただけあって、この他に様々なプランターＰを構成することができる。例えば、第３、第４、第５、第６のプランターＰ３、Ｐ４、Ｐ５、Ｐ６において、枠材１・・を３つ以上積み重ねて高さの異なるものを適宜構成しても良い。また、第５、第６のプランターＰ５、Ｐ６において、枠材１・・を３つ以上積み重ねた場合に、仕切板４の嵌め込み位置を適宜変更することで、内容量の異なるものを適宜構成しても良く、これにより根の張り具合の異なる様々な種類の植物を育成することができ、内容量を大きくすることで庭木や果樹等を植え付けることも可能となる。
【００３１】
そして、プランターＰ２、Ｐ４、Ｐ６のような蓋材３を使用したものにおいては、腰掛や踏み台として利用することができ、それらを並設することで簡易ウッドデッキや濡れ縁として活用したり、段差を持たせて並設することで子供の遊び場としても活用することができる。また、プランター本体２０内に砂を充填することによって、猫等の糞害に悩まされることのない蓋付きの砂場として利用することができ、さらにプランター本体２０内にガーデニング用品を収納することによって、見栄えの良い蓋付きの収納箱としても利用することができる。さらにまた、プランター本体２０内にポリバケツを収納して雨水タンクとして利用したり、ミミズコンポスト等の生ゴミ処理容器としても利用することもできる。
【００３２】
図１２及び図１３は、上記のような各種プランターＰ・・を適宜組み合わせて並設することによって構築されたガーデニングスペースの一例を示している。図１２に示すガーデニングスペースにおいては、第１、第２、第３、第４のプランターＰ１、Ｐ２、Ｐ３、Ｐ４・・、さらに第３、第４のプランターＰ３、Ｐ４に枠材１を追加して３段重ねとしたプランターＰ３ａ、Ｐ４ａ・・を並設することによって構築されている。図１３に示すガーデニングスペースにおいては、第４、第６のプランターＰ４、Ｐ６・・、第４のプランターＰ４に枠材１を追加して３段重ねとしたプランターＰ４ａ、第５のプランターＰ５・・に枠材１を追加して３段重ね或いは４段重ねとしたプランターＰ５ａ、Ｐ５ｂ・・を並設することによって構築されている。
【００３３】
このように、上記のガーデニング用のプランターシステムにおいては、枠材１、化粧枠材２、蓋材３、仕切材４といった４種類の共通部材を選択的に組み合わせることで、統一感のある外観としながらも、高さや内容量、機能等の異なる各種プランターＰ・・を構成しており、これら各種プランターＰ・・を複数並設することで、使用者の要望や設置場所の状況に応じた様々なバリエーションのガーデニングスペースを、全体的に統一感を持たせながら簡単且つ安価に構築することができるようになっている。しかも、各種プランターＰ・・を並設しただけなので、施工後の配置替えや撤去、メンテナンス等も容易であって、リフォームにも柔軟に対応することができ、建物の外構だけでなくバルコニーや屋上といった屋内外のあらゆる場所において好適に施工することができる。
【００３４】
この発明は、上記実施形態に限定されるものではなく、この発明の範囲内で多くの修正及び変更を加え得ることは勿論である。
【図面の簡単な説明】
【００３５】
【図１】この発明の一実施形態に係るガーデニング用のプランターシステムにおける各種プランターの構成部材を示す斜視図である。
【図２】第１のプランターを示す斜視図である。
【図３】第２のプランターを示す斜視図である。
【図４】第３のプランターを示す斜視図である。
【図５】第３のプランターの部分縦断面図である。
【図６】第４のプランターを示す斜視図である。
【図７】第４のプランターの部分縦断面図である。
【図８】第５のプランターを示す斜視図である。
【図９】第５のプランターの部分縦断面図である。
【図１０】第６のプランターを示す斜視図である。
【図１１】第６のプランターの部分縦断面図である。
【図１２】ガーデニングスペースの一例を示す斜視図である。
【図１３】ガーデニングスペースの一例を示す斜視図である。
【符号の説明】
【００３６】
Ｐ・・プランター、１・・枠材、２・・化粧枠材、３・・蓋材、４・・仕切材、６・・脚部材、２０・・プランター本体
【図１】
0005003544.tif 000002
【図２】
0005003544.tif 000003
【図３】
0005003544.tif 000004
【図４】
0005003544.tif 000005
【図５】
0005003544.tif 000006
【図６】
0005003544.tif 000007
【図７】
0005003544.tif 000008
【図８】
0005003544.tif 000009
【図９】
0005003544.tif 000010
【図１０】
0005003544.tif 000011
【図１１】
0005003544.tif 000012
【図１２】
0005003544.tif 000013
【図１３】
0005003544.tif 000014